(57)【特許請求の範囲】
【請求項１】
コネクタを含み、前記コネクタは、中空の接続キャビティを含み、前記接続キャビティの対向する両側には、接続キャビティに電気的に接続される導電性プラグがそれぞれ接続され、前記接続キャビティは、複数のフレキシブル導電材料によって形成され、
前記導電性プラグの一端部が前記接続キャビティ内に延びており、前記接続キャビティ内に延びている二つの導電性プラグの端部の間にスプリングが設けられることを特徴とする、電気的接続装置。
【請求項２】
前記接続キャビティは、複数のフレキシブル導電材料によって囲まれた略球状の弾性接続キャビティであることを特徴とする、請求項１に記載の電気的接続装置。
【請求項３】
前記接続キャビティは、格子状のフレキシブル導電材料によって囲まれた略球状の弾性接続キャビティであることを特徴とする、請求項１から２のいずれかに記載の電気的接続装置。
【請求項４】
前記接続キャビティは、金属リード線をクロスして織られたか、又は金属導電性バンドを引き伸ばして形成されることを特徴とする、請求項１から３のいずれかに記載の電気的接続装置。
【請求項５】
前記接続キャビティと前記導電性プラグとは、圧着又は溶接方式で電気的に接続されることを特徴とする請求項１から４のいずれかに記載の電気的接続装置。
【請求項６】
前記スプリングは、圧縮スプリングであることを特徴とする、請求項１から５のいずれかに記載の電気的接続装置。
【請求項７】
前記導電性プラグは、柱状の導電性プラグ又は円筒状の導電性プラグであり、前記柱状の導電性プラグの外面には、一つ又は複数のスプリング用環状溝が設けられ、前記スプリング用環状溝内には、分離可能な環状の導電性スプリングが設けられ、前記円筒状の導電性プラグの内面には、一つ又は複数のスプリング用環状溝が設けられ、前記スプリング用環状溝内には、分離可能な環状の導電性スプリングが設けられることを特徴とする請求項１から６のいずれかに記載の電気的接続装置。
【請求項８】
前記柱状の導電性プラグの外壁又は円筒状の導電性プラグの内壁には、一つ又は複数のシール用環状溝がさらに設けられ、前記シール用環状溝は、前記スプリング用環状溝と接続キャビティとの間に位置し、前記シール用環状溝内には、分離可能なシール用ゴムリングが設けられることを特徴とする請求項７に記載の電気的接続装置。
【請求項９】
前記電気的接続装置は、一対の接続ベースをさらに含み、前記接続ベースは、前記コネクタの両側に位置し、前記接続ベースは、ベース本体を含み、前記ベース本体には、ベースキャビティ又は突出柱が設けられ、前記ベースキャビティは、前記柱状の導電性プラグの挿入を収容するスペースを有し、前記ベースキャビティは、前記導電性プラグの外面の導電性スプリングと接触し、前記突出柱は、前記円筒状の導電性プラグの筒内に挿入され、その内壁の導電性スプリングに接触することを特徴とする請求項７または８に記載の電気的接続装置。
【発明の詳細な説明】
【関連書類の相互参照】
【０００１】
本出願は、２０１６年１２月１２日に中国国家知識産権局に提出された、特許出願番号がＣＮ２０１６１１１３７６０５．０である中国特許出願の優先権を主張するものであり、当該中国特許出願の全内容は参照により本明細書に組み入れられる。
【技術分野】
【０００２】
本発明は、電気自動車用の電気的接続部材に関し、特に、フレキシブル電気的接続装置に関する。
【背景技術】
【０００３】
電気自動車の狭いスペース内では、二つの導体間の接続に、導電性銅棒、フレキシブルリード線などが多く使用され、これらの接続方法の多くは、剛性接続、緩衝性能が悪く、非常に故障しやすく、電気自動車の故障を引き起こす。
【発明の概要】
【０００４】
上記の課題を解決するために、本発明は、異なる導体間の電気的接続に使用される電気的接続装置を提供する。前記電気的接続装置は、具体的には、コネクタを含み、前記コネクタは、中空の接続キャビティを含み、前記接続キャビティの対向する両側には、接続キャビティに電気的に接続される導電性プラグがそれぞれ接続され、前記接続キャビティは、複数のフレキシブル導電材料によって形成される。
【０００５】
本発明の好ましい実施例として、前記接続キャビティは、複数のフレキシブル導電材料によって囲まれた略球状の弾性接続キャビティである。
【０００６】
本発明の好ましい実施例として、前記接続キャビティは、格子状のフレキシブル導電材料によって囲まれた略球状の弾性接続キャビティである。
【０００７】
本発明の好ましい実施例として、前記接続キャビティは、金属リード線をクロスして織られたか、又は金属導電性テープを引き伸ばして形成される。
【０００８】
本発明の好ましい実施例として、前記接続キャビティと前記導電性プラグとは、圧着又は溶接方式で電気的に接続される。
【０００９】
本発明の好ましい実施例として、前記導電性プラグの一端部が前記接続キャビティ内に延びており、前記接続キャビティ内に延びている二つの導電性プラグの端部の間にスプリングが設けられる。
【００１０】
本発明の好ましい実施例として、前記スプリングは、圧縮スプリングである。
【００１１】
本発明の好ましい実施例として、前記導電性プラグは、柱状の導電体又は円筒状の導電体であり、前記柱状の導電性プラグの外面には、一つ又は複数のスプリング用環状溝が設けられ、前記スプリング用環状溝内に分離可能な環状の導電性スプリングが設けられ、前記円筒状の導電性プラグの内面には、一つ又は複数のスプリング用環状溝が設けられ、前記スプリング用環状溝内には、分離可能な環状の導電性スプリングが設けられる。
【００１２】
本発明の好ましい実施例として、前記柱状の導電体の外壁又は円筒状の導電体の内壁には、一つ又は複数のシール用環状溝がさらに設けられ、前記シール用環状溝は、前記スプリング用環状溝と接続キャビティとの間に位置し、前記のシール用環状溝内には、分離可能なシール用ゴムリングが設けられる。
【００１３】
本発明の好ましい実施例として、前記電気的接続装置は、一対の接続ベースをさらに含む。前記接続ベースは、前記コネクタの両側に位置し、前記接続ベースは、ベース本体を含み、前記ベース本体にベースキャビティ又は突出柱が設けられ、前記ベースキャビティは、前記柱状の導電性プラグの挿入を収容するスペースを有し、前記ベースキャビティは、前記導電性プラグの外面の導電性スプリングと接触し、前記突出柱は、前記円筒状の導電性プラグの筒内に挿入され、その内壁の導電性スプリングに接触する。
【００１４】
本発明によって得られる技術的効果は、以下の通りである。
１、本発明は、フレキシブル導電材料からなる格子状の接続キャビティを採用しており、使用時には、当該接続キャビティを、引き伸ばしたり、又は圧縮したりすることができ、かつ半径方向にねじることができ、異なる電気的接続ベース間の軸方向、径方向などの各角度の相対的変位の変化に適応することができ、相対的変位の変化による電気的接続性能の低下を避けることができる。
２、本発明は、導電性プラグに環状の導電性スプリングが設けられているため、コネクタと接続ベースとの間の電気的接続の効果をさらに向上させ、導電性を向上させる。
３、本発明の電気的接続装置は、激しい振動条件での二つのソケット間の電気的接続に使用することができる。
【図面の簡単な説明】
【００１５】
本発明の実施例または従来技術における技術案をより明白に説明するために、以下、本発明の実施例または従来技術の説明において使用する必要のある図面を簡単に説明する。明らかに、下記の説明における図面は単に、本発明の一部の実施例に過ぎず、当業者であれば、創作的な労力を払わずにこれらの図面に基づいて他の図面を更に取得することができる。
【図１】本発明一実施形態に係る電気的接続装置の構造の概略斜視図である。
【図２】図１の電気的接続装置の構造の概略分解斜視図である。
【図３】図２の電気的接続装置の構造のさらなる概略分解斜視図である。
【図４】図３のＡ領域の詳細を示す拡大概略図である。
【図５】図２の電気的接続装置の接続ベースの概略構造図である。
【図６】図５の接続ベースのＢ−Ｂ線に沿う断面図である。
【図７】図１の電気的接続装置の接続を示す概略図であり、これは断面図である。
【図８】本発明の他の実施形態の電気的接続装置の構造の概略斜視図である。
【発明を実施するための形態】
【００１６】
本発明の利点および特徴が当業者によってより容易に理解されるように、以下、図面を組み合わせて本発明の好ましい実施例について詳細に説明して、本発明の保護範囲をより明確に特定する。
【００１７】
図１〜図６に示すように、本発明の一実施形態における電気的接続装置１は、コネクタ２と、一対の接続ベース４と、を含む。当該コネクタ２は、中空の接続キャビティ２１を含み、当該接続キャビティ２１内には、スプリング２３が設けられている。当該スプリング２３は、ドラム状の圧縮スプリングであることが好ましい。
【００１８】
当該接続キャビティ２１の対向する両側には、柱状の導電性プラグ２２がそれぞれ設けられる。当該柱状の導電性プラグ２２の一端２２３は、当該接続キャビティ２１内に延びており、スプリング２３の両端は、接続キャビティ２１内に延びている二つの導電性プラグ２２の端部２２３にそれぞれ接続されている。また、接続キャビティ２１は、銅線から織られた格子状構造であり、接続キャビティ２１と導電性プラグ２２とは、圧着又は溶接によって接続される。他の実施形態では、銅線は、導電機能を有する他の金属リード線、導電性テープで代替されてもよく、当該接続キャビティ２１は、金属導電テープを拡張して形成されてもよい。当該導電性プラグ２２は、銅柱などの導電機能を有する金属柱である。
【００１９】
当該導電性プラグ２２の外面には、環状のシール用環状溝２２１からなるシール用環状溝列と、環状のスプリング用環状溝２２２からなるスプリング用環状溝列が設けられ、シール用環状溝２２１は、スプリング用環状溝２２２と接続キャビティ２１との間に位置し、当該シール用環状溝２２１内には、分離可能なシール用ゴムリング５がそれぞれ設けられ、当該スプリング用環状溝２２２内には、分離可能な環状の導電性スプリング３がそれぞれ設けられている。当該導電性スプリング３は、銀メッキスプリングあり、導電性を提供する。当該シール用ゴムリング５は、導電性スプリング３を保護するために用いられる。当該シール用環状溝２２１及びスプリング用環状溝２２２の数は、異なる電気的接続要求を満たすために、任意に増減することができる。
【００２０】
当該接続ベース４は、当該コネクタ２の両側に位置し、当該接続ベース４は、円柱状のベース本体４０を含み、当該ベース本体４０内には、円筒状のベースキャビティ４１が設けられている。当該ベースキャビティ４１は、導電性プラグ２２の挿入を収容するスペースを有し、且つ導電性プラグ２２の外面の導電性スプリングと接触するため、接続ベースと導電性プラグ２２との間に電気的接続が形成されている。
【００２１】
使用時には、図７に示すように、コネクタ２両端の導電性プラグ２２を対応する接続ベース４のベースキャビティ４１内に直接挿入すればよく、この場合、導電性スプリング３及びシール用ゴムリング５の外壁がベースキャビティ４１の内壁に密着されることにより、異なる接続ベース間に信頼性のある電気的接続とシール接続が提供される。
【００２２】
本発明の他の実施形態では、円筒状の導電性プラグを使用して上記の実施形態における柱状の導電性プラグを代替する。図８に示すように、導電性プラグ２２０は、円筒状であり、当該円筒状の導電性プラグ２２０の内壁には、スプリング用環状溝及びシール用環状溝が設けられている。導電性スプリング及びシール用ゴムリングは、それぞれスプリング用環状溝及びシール用環状溝を介して当該円筒状の導電性プラグ２２０の内壁に設けられ、接続ベースのベース本体４００には、突出柱４０１が設けられている。当該突出柱４０１は、導電性プラグ２２０の筒内に挿入される場合、突出柱４０１の外壁は、円筒状の導電性プラグ２２０内壁における導電性スプリング及びシール用ゴムリングに密着されることによって、接続ベースとコネクタとの間に良好な電気的接続が形成される。
【００２３】
本発明の電気的接続装置は、狭いスペース内に取り付けるのに適しており、取り付け時に引き伸ばしたり、圧縮したりすることができ、取り付けが便利である。また、取り付け後に、３６０°の追従、変位、及び圧縮を実現することができ、ボルトなしで電気的接続を実現することができ、信頼性が高い。接続キャビティは、銅線から織られるため、材質が柔らかく導電性が良く、厳しい工業条件及び採鉱条件下での二つのソケット間の電気的接続に特に適している。
【００２４】
これに限定されず、創作的な労力をせずに想到するいずれの変化または置換は、本発明の保護範囲に含まれるべきである。従って、本発明の保護範囲は特許請求の範囲によって定義される保護範囲に準ずるべきである。
【符号の説明】
【００２５】
１  電気的接続装置
２  コネクタ
２１  接続キャビティ
２２  導電性プラグ
２２０  円筒状の導電性プラグ
２２１  シール用環状溝
２２２  スプリング用環状溝
２２３  導電性プラグの端部
２３  スプリング
３  導電性スプリング
４  接続ベース
４０、４００  ベース本体
４１  ベースキャビティ
４０１  突出柱
５  シール用ゴムリング。
【図１】
0006856755.tif 000002
【図２】
0006856755.tif 000003
【図３】
0006856755.tif 000004
【図４】
0006856755.tif 000005
【図５】
0006856755.tif 000006
【図６】
0006856755.tif 000007
【図７】
0006856755.tif 000008
【図８】
0006856755.tif 000009